(57)【特許請求の範囲】
【請求項１】
少なくとも、腰部近傍から背面側の略股関節中心点と略膝関節中心点との中間位置近傍までを被覆する伸縮性のある生地素材よりなる下衣であって、
該下衣は比較的弱い伸度の本体部と、より強い伸度のストレッチ部とから成り、 
該ストレッチ部は、前面側の腰骨頂部近傍略中心位置を起点としたハの字状を呈し、それぞれ左身頃、右身頃を通り背面側の臀部溝部両内側近傍にて逆ハの字状を呈し、臀部溝部両内側近傍を経由して、更に少なくとも、背面側の略股関節中心点と略膝関節中心点との中間位置近傍まで延びるスパイラルラインを形成し、且つ、スパイラルラインに沿った方向に人体に対して力が生じるように構成されることにより内旋機能を持たせたこと、
を特徴とする旋回機能を有するスポーツウェア。
【請求項２】
少なくとも、腰部近傍から股下部近傍までを被覆する伸縮性のある生地素材よりなる下衣であって、
該下衣は比較的弱い伸度の本体部と、より強い伸度のストレッチ部とから成り、
該ストレッチ部は、背面側の腰骨頂部近傍略中心位置を起点としたハの字状を呈し、それぞれ左身頃、右身頃を通り前面側の股下部両内側近傍にて逆ハの字状を呈するスパイラルラインを形成し、且つ、スパイラルラインに沿った方向に人体に対して力が生じるように構成されることにより外旋機能を持たせたこと、
を特徴とする旋回機能を有するスポーツウェア。
【請求項３】
前記ストレッチ部が、背面側の腰骨頂部近傍略中心位置を起点としたスパイラルラインがハの字状を呈するよう、それぞれ左身頃、右身頃を通り前面側の股下部両内側近傍を経由して、更に少なくとも、前面側の略股関節中心点と略膝関節中心点との中間位置近傍まで延びていること、
を特徴とする請求項２に記載の旋回機能を有するスポーツウェア。
【請求項４】
少なくとも、腰部近傍から股下部近傍までを被覆する伸縮性のある生地素材よりなる下衣であって、
該下衣は比較的弱い伸度の本体部と、より強い伸度のストレッチ部とから成り、 
該ストレッチ部は、（１）左身頃には、前面側の腰骨頂部近傍略中心位置を起点とし、左身頃を通り、少なくとも背面側の臀部溝部内側近傍まで延びるスパイラルラインを形成し、且つ、スパイラルラインに沿った方向に人体に対して力が生じるように構成されることにより内旋機能を持たせ、右身頃には、背面側の腰骨頂部近傍略中心位置を起点とし、右身頃を通り、少なくとも前面側の股下部内側近傍まで延びるスパイラルラインを形成し、且つ、スパイラルラインに沿った方向に人体に対して力が生じるように構成されることにより外旋機能を持たせること、あるいは、（２）左身頃には、背面側の腰骨頂部近傍略中心位置を起点とし、左身頃を通り、少なくとも前面側の股下部内側近傍まで延びるスパイラルラインを形成し、且つ、スパイラルラインに沿った方向に人体に対して力が生じるように構成されることにより外旋機能を持たせ、右身頃には、前面側の腰骨頂部近傍略中心位置を起点とし、右身頃を通り、少なくとも背面側の臀部溝部内側近傍まで延びるスパイラルラインを形成し、且つ、スパイラルラインに沿った方向に人体に対して力が生じるように構成されることにより内旋機能を持たせること、として、左身頃と右身頃の構成を異なるよう下衣として一体化したこと、
を特徴とする旋回機能を有するスポーツウェア。
【請求項５】
少なくとも、腰部近傍から股下部近傍までを被覆する伸縮性のある生地素材よりなる下衣であって、
該下衣は比較的弱い伸度の本体部と、より強い伸度のストレッチ部とから成り、 
該ストレッチ部は、（１）左身頃のみに、前面側の腰骨頂部近傍略中心位置を起点とし、左身頃を通り、少なくとも背面側の臀部溝部内側近傍まで延びるスパイラルラインを形成し、且つ、スパイラルラインに沿った方向に人体に対して力が生じるように構成されることにより内旋機能を持たせ、他方の身頃には内旋及び外旋機能の何れをも持たせないようにするか、あるいは、（２）左身頃のみに、背面側の腰骨頂部近傍略中心位置を起点とし、左身頃を通り、少なくとも前面側の股下部内側近傍まで延びるスパイラルラインを形成し、且つ、スパイラルラインに沿った方向に人体に対して力が生じるように構成されることにより外旋機能を持たせ、他方の身頃には内旋及び外旋機能の何れをも持たせないようにするか、あるいは、（３）右身頃のみに、前面側の腰骨頂部近傍略中心位置を起点とし、右身頃を通り、少なくとも背面側の臀部溝部内側近傍まで延びるスパイラルラインを形成し、且つ、スパイラルラインに沿った方向に人体に対して力が生じるように構成されることにより内旋機能を持たせ、他方の身頃には内旋及び外旋機能の何れをも持たせないようにするか、あるいは、（４）右身頃のみに、背面側の腰骨頂部近傍略中心位置を起点とし、右身頃を通り、少なくとも前面側の股下部内側近傍まで延びるスパイラルラインを形成し、且つ、スパイラルラインに沿った方向に人体に対して力が生じるように構成されることにより外旋機能を持たせ、他方の身頃には内旋及び外旋機能の何れをも持たせないようにして、左身頃と右身頃の構成を異なるよう下衣として一体化したこと、
を特徴とする旋回機能を有するスポーツウェア。
【請求項６】
前記ストレッチ部の少なくとも一部を多層構造としたこと、
を特徴とする請求項１乃至５に記載の旋回機能を有するスポーツウェア。
【請求項７】
前記ストレッチ部は、前記本体部を交編、または交織形成するにあたり、切り替えし、または編み組織の変化により連続的に一体形成されること、
を特徴とする請求項１乃至５の何れかに記載の旋回機能を有するスポーツウェア。
【請求項８】
前記ストレッチ部は、前記本体部が一体的に形成された後に、該ウェア本体部の表面または裏面に固着されること、
を特徴とする請求項１乃至６に記載の旋回機能を有するスポーツウェア。
【請求項９】
前記下衣の下端位置が、股下部と膝頭部との中間で終わるショートパンツ型、膝頭上部で終わるスパッツ型、膝頭下部で終わるセミロングスパッツ型、或いは、足首上部で終わるロングスパッツ型など種々の体裁を呈すること、
を特徴とする請求項１記載の旋回機能を有するスポーツウェア。
【請求項１０】
前記下衣の下端位置が、臀部溝部乃至股下部で終わるパンツ型、股下部と膝頭部との中間で終わるショートパンツ型、膝頭上部で終わるスパッツ型、膝頭下部で終わるセミロングスパッツ型、或いは、足首上部で終わるロングスパッツ型など種々の体裁を呈すること、
を特徴とする請求項２、４又は５の何れかに記載の旋回機能を有するスポーツウェア。
【請求項１１】
前記下衣または前記ストレッチ部の何れか、あるいは双方、の下端肌側または外側に、滑り止め機能を持たせたこと、
を特徴とする請求項９又は１０の何れかに記載の旋回機能を有するスポーツウェア。
【発明の詳細な説明】
【技術分野】
【０００１】
本発明は、内旋または外旋機能を持たせたスポーツウェアに関するものであり、特に本発明においては、スポーツウェアやスポーツ用アンダーウェアに内旋機能、または外旋機能を持たせることにより、それぞれのスポーツにおける身体の動きに適応した運動のしやすいスポーツウェアやスポーツ用アンダーウェアを提供するものである。
【背景技術】
【０００２】
スポーツウェアやスポーツ用アンダーウェアの開発は、プレイヤーの安全性や吸汗及び発散性、防寒性等が適正になるようにスポーツの種類や、プレーする環境に応じて、それぞれのスポーツに適した素材の研究や製品化が進められているだけでなく、各種スポーツにおいて、それぞれのプレイヤーの身体の動きに支障がなく運動機能がより大きく発揮できるスポーツウェアの素材や縫製方法の研究、開発も進められている。
【０００３】
例えば、上記スポーツプレイヤーの身体の動きに支障がなく運動機能がより大きく発揮できるスポーツウェアの一例として、特許第３６８２７１５号公報（以下、特許文献１と称する）には、水または空気抵抗を軽減する構成を有して、機能性が向上する競泳用水着に関する技術が開示されている。
【０００４】
特許文献１の発明における競泳用水着は、胸の両側から脚に掛けて緩いスパイラル状に裁断され、左身頃を左捲きまたは右巻きに、右身頃を右巻きまたは左まきに切断したストレッチ生地素材から裁断した裁断片によって縫製され、また左腕は左捲きまたは右巻きに、右腕は右巻きまたは左捲きに裁断したスパイラル状に裁断したストレッチ生地素材からなる裁断片によって縫製されることを要旨としている。
【０００５】
また、上記各裁断片は、正布位置としたストレッチ素材で構成してあり、使用する部位によってその強さ（張力）がそれぞれ異なり、大腿部を包んでいる裁断片が他の部分より張力の大きいストレッチ素材が使用してあったり、また、脹ら脛部には、他の部位より張力を小さくしたりと、任意に構成することを要旨としている。
【０００６】
而して、特許文献１の発明における競泳用水着は、水着の裁断片をスパイラルが生じるように裁断してこれを縫製したことにより、着用者の後方にカルマン渦の発生が少なくなり、その分軽く移動することができる。また裁断片はストレッチ素材で構成してあるため、適当な筋肉の引き締めもおこなわれ、着用者の筋肉が発揮され易い利点を有すると共に、着用者の蹴り出し力を強くしたり、あるいは該蹴り出し力に悪影響を与えないようにすることができる、と云うものである。
【０００７】
そして、特許文献１の発明における実施例は、競泳用水着だけでなく、例えば、陸上の短距離競走や、スケートやスキーなどの距離競技、または各種自転車競技やスキーのダウンヒル・ジャンプ競技など、空気抵抗乃至流体抵抗に関わるスポーツ用ウェア全般についても同様に実施することができるとしており、特許文献１の発明を実際に競技用水着やスキーのジャンプ競技用ウェアに実施して、当初の効果を生じせしめている。
【０００８】
また、前記特許文献１に類似した構成を一部に有した脚線矯正用の股付き衣類が、従来技術として、特許第３７８２４４１号公報（以下、特許文献２と称する）に開示されている。
【０００９】
特許文献２は、ロングタイプのガードル、パンティストッキング、タイツ、男女スパッツ型の水着、男女スポーツウェア等の脚線矯正用の股付き衣類に関するものである。
【００１０】
特許文献２の発明は、従来の脚線矯正用股付き衣類が、単に脚部をすっきり見せたり、ヒップアップ効果を高めたり、膝関節症の治療や予防をしたり、脚部の運動能力を高めることを主なコンセプトとしているものであって、いわゆるＯ脚等による膝の開きすぎを矯正するためのものではない点に着目されて、なされている。
【００１１】
従って、特許文献２の発明は、着用者の膝を内側に向けやすくする脚線矯正用の股付き衣類を提供することを目的に、少なくとも腰部から大腿部の上部までを被覆する伸縮性の本体部と、本体部よりも緊締力が強く、大腿部の大内転筋が位置する部位を帯状に覆う伸縮性のサポートライン部を備え、サポートライン部は、大腿骨の長手方向の前側ラインよりも外側に対応する位置を下端とし、大腿部の後側であり臀溝の内側端部よりも外側に対応する位置を上端として、下端から大腿部の前側及び大腿部の後側でかつ臀溝の下部を通り、上端に向けてらせん状に連なることにより、大腿部に密着した状態で大内転筋の動きをサポートすることを特徴としている。
【００１２】
そして、特許文献２の発明に係る股付き衣類が着用されると、大内転筋が位置する部位を帯状に覆い、緊締力が強いサポートライン部は、着用者の動きに合わせて伸縮する。特に、着用者の動きに合わせて皮膚が大きく伸長する太腿の内側に対応する部分には、大きな緊締力が生じる。この緊締力が生じることにより、大内転筋が位置する太腿の内側には、股関節を支点として、大腿骨を内側へ回転させようとする力が作用する。これにより、大内転筋の動きをサポートすることができるので、着用者の膝を無理なく内側に向けることができ、ひいては脚線を矯正できる、としている。
【００１３】
斯くして、従来技術として開示した特許文献１の発明と、特許文献２の発明の共通点は、特許文献１が着用する競泳用水着等のスポーツウェアの構成が、使用する部位によってその強さ（張力）がそれぞれ異なるストレッチ素材で構成されていること、特許文献２は、脚線矯正用股付き衣類において、腰部から大腿部の上部までを被覆する伸縮性の本体部と、前記本体部より緊締力が強い伸縮性のサポートライン部から構成されている点にあり、着用するスポーツウェアや脚線矯正用の股付き衣類等において、使用する部位によってその張力がそれぞれ異なるストレッチ素材を用いて筋肉に作用させることや、伸長性のある本体部と緊締力が強いサポートライン部を用いて同様に大内転筋に作用させ脚線を矯正すると云う点である。
【００１４】
然しながら、従来技術おいて、スポーツウェアの使用する部位によってその張力がそれぞれ異なるストレッチ素材を用いて筋肉に作用させることや、伸長性のある本体部と緊締力が強いサポートライン部を用いて大内転筋に作用させ脚線を矯正する、と云うことは、現実には非常に難しいことである。ウェアや矯正用衣類の着用者は、それぞれ身長や筋肉の鍛え方で個人差を有しており、張力の強いストレッチ素材等が有効に作用する筋肉部位が、人によって大きく異なることから個人差のある筋肉部に適切に作用して、それぞれの機能を発揮できない等の欠点があった。
【００１５】
また、本発明の如く、スポーツウェアやスポーツ用アンダーウェアに内旋機能、または外旋機能を持たせることにより、それぞれのスポーツにおける身体の動きに適応した運動のしやすいスポーツウェアやスポーツ用アンダーウェアを提供するものは皆無であった。
【特許文献１】特許第３６８２７１５号公報
【特許文献２】特許第３７８２４４１号公報
【発明の開示】
【発明が解決しようとする課題】
【００１６】
本発明は、内旋または外旋機能を持たせたスポーツウェアに関するものであり、特に本発明においては、スポーツウェアやスポーツ用アンダーウェアに内旋機能、または外旋機能を持たせることにより、それぞれのスポーツにおける身体の動きに適応した運動のしやすいスポーツウェアやスポーツ用アンダーウェアを提供するものである。
【００１７】
本発明において、内旋または外旋機能を持たせたスポーツウェアやスポーツ用アンダーウェアとは、体肢の長軸を軸とする運動機能を有するもので、体肢の長軸を軸として足先が内側に回転する運動機能を内旋機能、同じ体肢の長軸を軸として足先が外側に回転する運動機能を外旋機能とする。
【００１８】
そして、例えば、内旋機能が必要なスポーツウェアとしては、陸上競技用ウェア、自由形競泳用水着、ゴルフ用アンダーウェア等があげられる。また、外旋機能が必要なスポーツウェアとしては、平泳ぎ用水着、スピードスケート用ウェア、クロスカントリー用ウェア、スキー・ジャンプ用アンダーウェア等があり、所謂スポーツウェアとして、内旋機能または外旋機能を持たせたスポーツウェアの利用範囲は極めて広い。
【００１９】
而して、本発明の目的は、上述した各種のスポーツウェアに、それぞれ内旋機能、または外旋機能を持たせることにより、それぞれのスポーツにおける身体の動きに充分に適応した運動をしやすいスポーツウェアやスポーツ用アンダーウェアを提供するものである。
【課題を解決するための手段】
【００２０】
本発明は、上記の課題解決のために、まず、少なくとも、腰部近傍から背面側の略股関節中心点と略膝関節中心点との中間位置近傍までを被覆する伸縮性のある生地素材よりなる下衣であって、
該下衣は比較的弱い伸度の本体部と、より強い伸度のストレッチ部とから成り、 
該ストレッチ部は、前面側の腰骨頂部近傍略中心位置を起点としたハの字状を呈し、それぞれ左身頃、右身頃を通り背面側の臀部溝部両内側近傍にて逆ハの字状を呈し、臀部溝部両内側近傍を経由して、更に少なくとも、背面側の略股関節中心点と略膝関節中心点との中間位置近傍まで延びるスパイラルラインを形成し、且つ、スパイラルラインに沿った方向に人体に対して力が生じるように構成されることにより内旋機能を持たせたこと、
を特徴とする旋回機能を有するスポーツウェアであることをその要旨とする。
【００２１】
また、本発明は、少なくとも、腰部近傍から股下部近傍までを被覆する伸縮性のある生地素材よりなる下衣であって、
該下衣は比較的弱い伸度の本体部と、より強い伸度のストレッチ部とから成り、
該ストレッチ部は、背面側の腰骨頂部近傍略中心位置を起点としたハの字状を呈し、それぞれ左身頃、右身頃を通り前面側の股下部両内側近傍にて逆ハの字状を呈するスパイラルラインを形成し、且つ、スパイラルラインに沿った方向に人体に対して力が生じるように構成されることにより外旋機能を持たせたこと、
を特徴とする旋回機能を有するスポーツウェアであることもその要旨としている。
【００２２】
該ストレッチ部は少なくとも一部を多層構造としてもよいし、更には該本体部とストレッチ部は、共に、スパイラル状に裁断された裁断片より成り、該裁断片は、何れも裁ち目を正布位置として長手方向にとり、該各裁断片を縫着一体化することも好ましい。
【００２３】
また、本体部とストレッチ部のうち、ストレッチ部はスパイラル状に裁断された裁断片であって、該裁断片は、裁ち目を正布位置として長手方向にとり、本体部と縫着一体化することもまた好ましい。
【００２４】
尚、前記ストレッチ部は、本体部を交編、または交織形成するにあたり、切り替えし、または編み組織の変化により連続的に一体形成されることもできる。
【００２５】
ストレッチ部は、本体部が一体的に形成された後に、ウェア本体部の表面または裏面に固着されてもよい。
【００２６】
また、ストレッチ部が、前面側の腰骨頂部近傍略中心位置を起点としたスパイラルラインがハの字状を呈するよう、それぞれ左身頃、右身頃を通り背面側の臀部両溝部内側近傍を越え、更に少なくとも、背面側の略股関節中心点と略膝関節中心点との中間位置近傍、を終点位置とすることも可能である（内旋の場合）。
【００２７】
また、ストレッチ部が、背面側の腰骨頂部近傍略中心位置を起点としたスパイラルラインがハの字状を呈するよう、それぞれ左身頃、右身頃を通り前面側の股下部両内側乃至付け根近傍を越え、更に少なくとも、前面側の略股関節中心点と略膝関節中心点との中間位置近傍、を終点位置とすることも可能である（外旋の場合）。
【００２８】
尚、下衣の下端位置が、臀部溝部乃至股下部で終わるパンツ型、股下部と膝頭部との中間で終わるショートパンツ型、膝頭上部で終わるスパッツ型、膝頭下部で終わるセミロングスパッツ型、或いは、足首上部で終わるロングスパッツ型など種々の体裁を呈することも特徴としている。
【００２９】
更には、前記下衣または前記ストレッチ部の何れか、あるいは双方、の下端肌側または外側に滑り止め機能を持たせることも好ましい。
【００３０】
また、左身頃には内旋機能を持たせ右身頃には外旋機能を持たせること、あるいは、左身頃には外旋機能を持たせ右身頃には内旋機能を持たせること、として左右身頃の構成を異ならせ下衣として一体化することも変形として製作できる。
【００３１】
同じように変形的に、左身頃または右身頃にだけ内旋または外旋機能を持たせ、他方の身頃には内旋、外旋の何れの機能を持たせない、ように左右身頃の構成を異ならせる下衣も製作出来る。
【発明の効果】
【００３２】
而して本発明は、内旋または外旋機能を持たせたスポーツウェアに関するものであり、特に本発明における効果として、スポーツウェアやスポーツ用アンダーウェアに内旋機能、または外旋機能を持たせることにより、それぞれのスポーツウェアにおける身体の動きに適応した運動のしやすいスポーツウェアやスポーツ用アンダーウェアを提供することができた。
のみならず、人体臀部を上方に持ち上げる力も強く働く結果として、所謂ヒップアップ等体型補正の効果も生じた。
【発明を実施するための最良の形態】
【００３３】
ここでは、以下に、本発明実施に際しての補足的説明や、幾つかの本明細書中の用語の説明等を述べておきたい。
【００３４】
「メカニズム」
はじめに内旋、外旋機能の説明とメカニズムについて述べたい。
本発明において定義付けられる内旋または外旋機能を持たせたスポーツウェアやスポーツ用アンダーウェアに於ける「内旋」または「外旋」運動乃至機能とは、体肢の長軸を軸とする運動機能を有するものであって、体肢の長軸を軸として足の先が内側に回転する運動機能を内旋機能、同じ体肢の長軸を軸として足の先が外側に回転する運動機能を外旋機能とする。
【００３５】
これに対して、「内転」または「外転」運動乃至機能とは、体軸に近づける運動（内転）、逆に遠ざける運動（外転）を言う。
換言すれば、内又は外に閉じる、開く、と言う単純運動である。
即ち、本発明に於ける「内旋運動」／「外旋運動」と、一般に言うところの「内転運動」／「外転運動」とは、体肢の長軸を軸芯として回転するか否かの点で全く異なるのである（「図１」参照）。
【００３６】
上述した内旋または外旋機能は、後述する本明細書の実施例中においても詳説しているところの基本的なメカニズムを具体的には有している（例えば段落番号「００６１」〜「００６８」や「図４」等）。
【００３７】
このメカニズムを発揮させるためには、請求項１、又は請求項２の構成が必要となるが、更に説明を補足したい。
【００３８】
即ち、厳密なメカニズム的意味では、本発明における内旋または外旋機能は、既に、請求項１、または請求項２で述べたように、ストレッチ部が背面側の臀部両溝部内側近傍に延設されることで発揮されている（内旋の場合）か、または、ストレッチ部が前面側の股下部両内側近傍に延設されることで発揮されている（外旋の場合）、のであるが（即ち、該ストレッチ部の応力により膝部より下、目視した場合には足先となるが、内側または外側に既に回転運動をしている）、該終点位置より更に下方にまで該ストレッチ部を、補助的ではあるが、延設することによっても好ましい内旋または外旋機能を発揮できる。
つまり具体的には、背面側の略股関節中心点と略膝関節中心点との中間位置近傍（内旋、外旋共に）、あるいは更に下方の、例えば前面脛部（内旋の場合）、脹ら脛部（外旋の場合）や足首上部（内旋、外旋共に）などにまで延設することでも好ましい機能は発揮され得るのである（請求項７、８参照）。
【００３９】
「素材」
本体部、ストレッチ部の双方は、強弱の差はあっても共に伸縮性のある素材であればよく、格別な限定はされないが、一般的には、ポリエステル系、ナイロン系等の合成繊維とポリウレタンやポリオレフィン系弾性繊維等との交編または交織生地が多く用いられる。
【００４０】
「本体部」
本明細書に於ける本体部とは、ストレッチ部に比して伸度の弱い（緊締力の小さい）部分を云うが、請求項３等の場合には複数の裁断片（請求項３では、所謂バイアスにとった複数の裁断片）を言い、また請求項５、６等の場合には完成したウェア全体を言う、即ち、双方を含む広い概念である。
【００４１】
「ストレッチ部」
本明細書に於けるストレッチ部は、本体部に比して、より強い伸度である必要があるが、単に「より強い」伸度であればよいのではなく、所定伸度は必要とされる。
一般的に言って、通常のスポーツウェアの場合では、生地に対し２０％〜６０％伸ばされた状態で着用する、という前提での設計がなされている。前記設計において、生地の所定伸度としては、ＪＩＳ  Ｌ  １０１８のＢ法（定荷重法）０．５Ｋｇ荷重時の伸長率が、生地としては、１０〜６０％の範囲内であることが必要とされる。
【００４２】
また本明細書に於けるストレッチ部は、身体の所定部位に充分な緊締力を与えうる所定幅を有していなくてはならないが、格別限定的な幅である必要はない。
一般的には５ｃｍ〜１５ｃｍ程度を必要とするが限定はされない。
【００４３】
ストレッチ部は、所定の位置どりをしたスパイラルラインを形成しているが、その位置如何により、あるいは意匠的理由や下衣の大小その他により、緩急の差違があってもよく、必ずしも「緩い」ラインであることを意味しない。
【００４４】
又、該ストレッチ部の全て、あるいは一部分を多層構造とすること、即ち、例えば同等のストレッチ生地を該ストレッチ部に更に縫合、プリント等にて重合させることもストレッチ部の伸度をより強めることとなり、本発明の効果を更に発揮できることを付言しておきたい。尚、ストレッチ部が最低限どこを起点とし、どこを終点とするか、あるいはそれを越えて更にどこまで延設できるか、については既述した。
【００４５】
「固着」
請求項６その他に言う固着とは、ウェア製作にあたり一般的に用いられている、縫着、接着、貼着、溶着、プリント等による一体化手法を広く含むものであり、格別限定されることはない。
【００４６】
「下衣の形態」
下衣の形態としては、所謂パンツ型はじめロングスパッツ型その他を呈しうることは請求項に明記されているが、該下衣の下端は、ストレッチ部の下端とは格別関係を有さない。
即ち、ストレッチ部が下衣の下端にまでは延設されず、下衣の中途を終点位置とすることもある。
従って、より正確に言うならば、下衣の下端位置は、「少なくとも」ストレッチ部の下端位置である、ということになる。
【００４７】
尚、本件下衣の下端またはストレッチ部の何れか、あるいは双方、の下端肌側にシリコンを塗布したテープを設けるなど、あるいは、外側にベルトを設けるなど、の各種常法手段乃至構成を形成すると下衣の滑り止めとなるので、本発明の効果としての内旋機能又は外旋機能はより一層発揮されうる。
【００４８】
また、本件下衣に、更に上衣部を連続乃至連続的に一体として、所謂袖付きまたは袖なしのワンピース型等とすることも勿論可能である。
【００４９】
また、本発明の根拠となる前記内旋、外旋のメカニズムと本発明の構成を考慮に入れると、右身頃と左身頃とをそれぞれに分けてウェアとすることも出来る。
即ち、請求項にも記載されているように、例えば、右足（右身頃）には内旋機能を持たせ、且つ、左足（左身頃）には外旋機能を持たせるようにして完成品とすること、あるいは、左足（左身頃）又は右足（右身頃）の一方のみに内旋又は外旋機能を持たせる（即ち他方には旋回機能を持たせない）、という変形もまた可能であって、特定の目的、例えば身体の矯正目的のウェアとする、という応用も可能である。
【００５０】
「適用される運動種目等」
本発明は、上述の内旋、または外旋の機能乃至メカニズムの結果として、内旋機能のあるウェアは、例えば、陸上競技用ウェア、自由形競泳用水着、ゴルフ用アンダーウェア等として最適であり、また、外旋機能があるウェアは、例えば、平泳ぎ用水着、スピードスケート用ウェア、クロスカントリー用ウェア、スキー・ジャンプ用アンダーウェア等として最適である。  
【実施例１】
【００５１】
図２乃至図４は本発明の実施例１を説明するものであり、実施例１は内旋機能を持たせたスポーツウェアを示している。図２（ａ）は該スポーツウェアの前面側を示す正面図、図２（ｂ）は該スポーツウェアの背面側を示す背面図、図２（ｃ）は右側面図、図２（ｄ）は左側面図をそれぞれ示している。尚、図２において、図２（ａ）は人が該スポーツウェアを着用した際の前面側を示しており、図２（ｂ）は人の背面側を示している。図２（ｃ）、図２（ｄ）も同様である。
【００５２】
また、図３は、本発明が実施されるスポーツウェアの形状例を示す説明図である。
更に図４は、本発明のメカニズムを説明するものであって、図４（ａ）は該スポーツウェアの前面側を示す正面図、図４（ｂ）はスポーツウェアの背面側を示す背面図、図４（ｃ）は右側面図、図４（ｄ）は左側面図をそれぞれ示している。尚、図４においても、図４（ａ）は人がスポーツウェアを着用した際の前面側を示しており、図４（ｂ）は人の背面側を示している。図４（ｃ）、（ｄ）も同様である。
尚、図４（ａ−１）、同（ｂ−１）、同（ｃ−１）、同（ｄ−１）は、それぞれ対応する図４（ａ）、同（ｂ）、同（ｃ）、同（ｄ）の部分拡大図である（但し、人体に生じる力の方向を示している）。
【００５３】
図２及び図４において、１は本発明のスポーツウェアを示し、２はウェアの本体部、３はストレッチ部を示している。前記ウェアの本体部２は８０％と、比較的弱い伸度（緊締力が小さい）を有したスパイラル状に裁断された裁断片４（裁ち目を正布位置として長手方向とった裁断片、所謂バイアスにとった）を形成しており、また、ストレッチ部３は３０％と、より強い伸度（緊締力が大きい）を有した、同じく、スパイラル状に裁断された裁断片５（裁ち目を正布位置として長手方向にとった裁断片、所謂バイアス）を形成している。
尚、各裁断片４，５は、何れもナイロンとポリウレタンとの交編にて成り、またストレッチ部３の幅は１０cmとしてある。
【００５４】
而して、本実施例のスポーツウェア１は、腰部近傍６から股下部近傍７までを被覆する伸縮性のある生地素材よりなる下衣１０であって、該下衣１０は比較的弱い伸度の本体部２と、より強い伸度のストレッチ部３とから成り、該ストレッチ部３を前面側１１の腰骨頂部近傍略中心位置１２を起点とした緩いスパイラルライン１３ａ、１３ｂがハの字状を呈するよう、それぞれ左身頃１４ａ、右身頃１４ｂを通り、図２（ｂ）に示す背面側１６の臀部溝ラインＬに沿った臀部両溝部内側近傍乃至付け根１５ａ、１５ｂにて逆ハの字状を呈して終点とするように構成してある。
【００５５】
本発明の実施例１においては前述のように、前記本体部２とストレッチ部３とは、共に、緩いスパイラル状に裁断された裁断片４、５より成り、該裁断片４、５は、何れも裁ち目を正布位置として長手方向にとり（即ち、所謂バイアスにとり）、該各裁断片４、５を縫着一体化して内旋機能を持つスポーツウェア１を一体的に製作している。
尚、該各裁断片４，５の縫着部８，９は、ストレッチ部３の伸びを制御する、即ち、緊締力を高める、機能も結果として果たしている。
【００５６】
尚、実施例１のバリエーションとしては、前記ストレッチ部３は、前記本体部２を交編、または交織形成するにあたり、切り替えし、または編み組織の変化により連続的に一体形成されて、内旋機能を持つスポーツウェア１を提供することも可能である。
【００５７】
更にまた、前記ストレッチ部３は、前記本体部２が形成された後に、該ウェア本体部２の表面または裏面に縫着、接着、貼着、溶着、プリント等で固着されることにより、内旋機能を持たせたスポーツウェア１を提供することもできる。
【００５８】
そして、本発明の実施例１の他の応用例として、前記ストレッチ部３が、前面側１１の腰骨頂部近傍略中心位置１２を起点とした緩いスパイラルライン１３ａ、１３ｂがハの字状を呈するよう、それぞれ左身頃１４ａ、右身頃１４ｂを通り、図２（ｂ）に示す臀部溝ラインＬに沿った臀部両溝部内側近傍１５ａ、１５ｂを経由して、背面側１６の略股関節中心点１７ａ、１７ｂと略膝関節中心点１８ａ、１８ｂとの中間位置近傍１９ａ、１９ｂ（点線部）を終点としても、あるいは、該中間位置近傍１９ａ，１９ｂを越えて更に、膝頭上部近傍２０ａ、２０ｂ（点線部）を終点とするように構成した内旋機能を持たせたスポーツウェア１を提供することもできる（更に下方へ延設してもよい、即ち、膝頭下部近傍２０−ｃ、足首部近傍２０−ｄまででもよい。何れも点線部）。
【００５９】
斯くして、本発明の実施例１は、図３に示す如く、前記下衣１０の下端位置が、前記ストレッチ部３の下端たる、臀部溝部乃至股下部１５ａ，１５ｂで終わるパンツ型３０、股関節中心点１７ａ，１７ｂと膝関節中心点１８ａ，１８ｂとの中間位置近傍１９ａ，１９ｂで終わるショートパンツ型３１、膝頭上部近傍２０ａ、２０ｂで終わるスパッツ型３２、膝頭下部近傍２０−ｃ、２０−ｃで終わるセミロングスパッツ型３３、或いは、足首部近傍２０−ｄ，２０−ｄで終わるロングスパッツ型３４を呈し、該それぞれのスポーツウェア１のスパイラルライン１３ａ、１３ｂ（図２に示す）に内旋機能を持たせたことを特徴とするスポーツウェア１でもある。
【００６０】
前記、下衣１０のそれぞれの形状における実施例１は、前記図２の如くスパイラルライン１３ａ、１３ｂに内旋機能を持たせたスポーツウェア１であり、特に陸上競技用ウェア、自由形競泳用水着、ゴルフ用アンダーウェア等に対してその内旋機能が発揮できる。
【００６１】
次に、本願発明の実施例１において、前記スポーツウェア１が、特に陸上競技用ウェア、自由形競泳用水着、ゴルフ用アンダーウェア等に対して、その内旋機能が発揮できるメカニズムを図４（及び図２）に基づいて説明する。
【００６２】
図２（ａ）はスポーツウェア１の前面側１１を示したものであり、ストレッチ部３を前面側１１の腰骨頂部近傍略中心位置１２を起点とした緩いスパイラルライン１３ａ、１３ｂがハの字状を呈するよう、それぞれ左身頃１４ａ、右身頃１４ｂを通り、図２（ｂ）に示す、臀部溝ラインＬの臀部溝部近傍１５ａ、１５ｂを終点とするように構成されている。
【００６３】
着用時に生地は伸ばされ、着用中には、部位や体型にもよるが、生地に対し２０％〜６０％伸ばされた状態で着用するため、生地には元に戻ろうとする力が働く。
【００６４】
伸度の強いストレッチ部３からなるスパイラルライン１３ａ、１４ｂを着用者の前面側１１から見える図４（ａ）のＡ点にて、ウェアとして、考察すると、スパイラルライン１３ａは、Ａ点部においては、生地が元に戻ろうとする力Ｐ（Ａ点部においては斜め下方の矢符）が働き、同時にその水平方向成分Ｐ１と垂直方向成分Ｐ２とに分解される。
【００６５】
上記Ａ点部においては、生地が元に戻ろうとする力Ｐは、人体においては、Ｐに対する反力Ｐ−ａ（Ａ点部においては斜め上方の矢符）として生じる（元に戻ろうとする力ＰとＰ−ａとは反対方向に同じ大きさとして働くので、力のバランスが保たれ、ウェアはずれ落ちない）。
そして前記ウェアの場合と同様、Ｐに対する反力として人体に生じる力Ｐ−ａは、その水平方向成分Ｐ−１と垂直方向成分Ｐ−２とに分解される。
この現象は、ウェアと身体とが極めて密に接しているために（別の表現で言えば、ストレッチ部が身体を強く押圧しているために）着用中に於いては、ストレッチ部生地自体に、着用時の伸び方向とは反対方向へ復帰しようとする力が、その反力（反対方向への力）として人体に生じることから生じるのである。
【００６６】
また同じく、図４（ｂ）に示す背面側１６では、Ｂ点部に於いては生地が元に戻ろうとする力（Ｂ点部において斜め下方の矢符）が働き、同時にその水平方向成分Ｐ１と垂直方向成分Ｐ２とに分解される。
前記同様、この表われ方も、着用時の方向をＢ点にて、ウェアとして考察した場合のことである。
即ち、該ウェア着用中の、人体に生じる力の問題としては、この着用時のウェアとしての方向とは全く逆に、Ｐ−１（水平方向成分）は水平に外側に働き、Ｐ−２（垂直方向成分）は臀部を上方に押し上げるよう働き、生地が元に戻ろうとする力Ｐに対する反力として人体に生じる力Ｐ−ａは常にＢ点部を矢符の斜め上方に引っ張っているのである（図４（ｂ−１））。この根拠となるのも前記と全く同様にストレッチ部生地が有する反力（反対方向への力）として人体に生じる結果である。そして、身体の水平方向に働く力たる水平方向成分Ｐ−１は、身体の前面に廻ると人体内側に働く内旋機能として作用する。
【００６７】
上記と同じく、図４（ｃ），（ｃ−１）また図４（ｄ），（ｄ−１）の両側面に於いても、ウェアとしてのメカニズム、人体に働きかけるメカニズム、は全く同様である（前述の説明で理解できるため敢えて詳説はしない）。
【００６８】
以上要するに、ウェアのストレッチ部に於ける力の働き方向は、ウェアとしての方向と、反力としての人体における方向とでは異なるものであり、主として生地が元に戻ろうとする力Ｐ、（及びＰに対する反力として人体に生じる力Ｐ−ａ）、また外側への力（前へ廻り込めば内側に働く）、が、人体の内旋機能を果たすことになるのである。
【実施例２】
【００６９】
図５及び図６は本発明の実施例２を説明するものであって、外旋機能を持たせたスポーツウェアを示している。そして、図５（ａ）は該スポーツウェアの前面側を示す正面図、図５（ｂ）はスポーツウェアの背面側を示す背面図、図５（ｃ）は右側面図、図５（ｄ）は左側面図をそれぞれ示している。そして、図５において、図５（ａ）は人がスポーツウェアを着用した際の前面側を示しており、図５（ｂ）は背面側を示している。図５（ｃ）、（ｄ）も同様である。
【００７０】
また、図６は、実施例２のメカニズムを説明するもので、図６（ａ）は該スポーツウェアの前面側を示す正面図、図６（ｂ）はスポーツウェアの背面側を示す背面図である。
そして、図６においても、図６（ａ）は人がスポーツウェアを着用した際に前面側を示しており、図６（ｂ）は背面側を示している。
尚、図６（ａ−１）は図６（ａ）の部分拡大を、図６（ｂ−１）は図６（ｂ）の部分拡大を、それぞれ示している。
【００７１】
図５及び図６において、図２及び図４と同一構成要素は同一符号にて示しており、１は本発明のスポーツウェア全体を示し、２はウェアの本体部、３はストレッチ部を示している。前記ウェアの本体部２は比較的弱い伸度を有したスパイラル状に裁断された裁断片４（裁ち目を正布位置として長手方向とった裁断片）を形成しており、また、ストレッチ部３は強い伸度を有したスパイラル状に裁断された裁断片５（裁ち目を正布位置として長手方向とった裁断片）を形成している。
尚、本実施例に於いても、各裁断片４，５の素材、伸度、ストレッチ部３の幅、の何れも実施例１と同様である。
【００７２】
而して実施例２は、腰部近傍６から股下部７までを被覆する伸縮性のある生地素材よりなる下衣１０であって、該下衣１０は比較的弱い伸度の本体部２と、より強い伸度のストレッチ部３とから成り、該ストレッチ部３を図５（ｂ）に示す如く背面側１６の腰骨頂部近傍略中心位置１２を起点とした緩いスパイラルライン１３ａ、１３ｂがハの字状を呈するようそれぞれ左身頃１４ａ、右身頃１４ｂを通り、前面側１１の股下部７の両内側乃至付け根近傍にて逆ハの字状を呈して終点とするように構成してある。
【００７３】
そして、本発明の実施例２においても、実施例１同様に、前述のように、前記本体部２とストレッチ部３は、共に、緩いスパイラル状に裁断された裁断片４、５より成り、該裁断片４、５は、何れも裁ち目を正布位置として長手方向にとり（所謂バイアスにとり）、該各裁断片４、５を縫着一体化して外旋機能を持つスポーツウェア１として一体的に製作している。
【００７４】
また、実施例２においても、応用例として、前記ストレッチ部３は、前記本体部２を交編、または交織形成するにあたり、切り替えし、または編み組織の変化により連続的に一体形成されて外旋機能を持つスポーツウェア１を提供することが可能である。
【００７５】
更にまた、前記ストレッチ部３は、前記本体部２が形成された後に、該ウェア本体部２の表面または裏面に縫着、接着、貼着、溶着、プリント等で固着されることにより、外旋機能を持たせたスポーツウェア１を提供することもできる。
【００７６】
そして、本発明の実施例２の他の応用例として、前記ストレッチ部３が、背面側１６の腰骨頂部近傍略中心位置１２を起点とした緩いスパイラルライン１３ａ、１３ｂがハの字状を呈するよう、それぞれ左身頃１４ａ、右身頃１４ｂを通り、前面側１１の股下部７の両内側近傍を越え、略股関節中心点１７ａ、１７ｂと略膝関節中心点１８ａ、１８ｂとの中間位置近傍１９ａ、１９ｂ、を終点としても、あるいは更に、膝頭上部２０ａ、２０ｂを終点とするように（更に下方へ延設してもよいことは実施例１に於けると同様である）構成した外旋機能を持たせたスポーツウェア１を提供することもできる。
【００７７】
斯くして、本発明の実施例２においても、実施例１同様、図４に示す如く前記下衣９の下端位置如何により種々の型を呈し、該それぞれのスポーツウェア１のスパイラルライン１３ａ、１３ｂ（図５に示す）に外旋機能を持たせたことを特徴とするスポーツウェア１でもある。
【００７８】
前記、下衣９のそれぞれの形状における実施例２は、前記図５の如くスパイラルライン１３ａ、１３ｂに外旋機能を持たせたスポーツウェア１であって、特に平泳ぎ用水着、スピードスケート用ウェア、クロスカントリー用ウェア、スキー・ジャンプ用アンダーウェア等に対してその外旋機能が発揮できる。
【００７９】
而して、本願発明の実施例２において、前記スポーツウェア１が、特に平泳ぎ用水着、スピードスケート、クロスカントリー、スキー・ジャンプ用アンダーウェア等に対してその外旋機能を発揮できるメカニズムを図６（及び図５）に基づいて説明する（但し、実施例１に於ける説明内容から理解出来る事項は、重複を避けるため敢えて省略している）。
【００８０】
図６（ａ）はスポーツウェア１の前面側１１を示したものであり、また、図６（ｂ）は背面側１６からスポーツウェア１を見ている。図６（ｂ）において腰骨頂部近傍略中心位置１２からスタートする緩いスパイラル状に裁断された強い伸度を有するストレッチ部３は、背面側１６から見て、ハの字に拡がるスパイラルライン１３ａ、１３ｂがそれぞれ左身頃１４ａ、右身頃１４ｂを通って図５（ａ）の前面側股下部７の両内側近傍でそれぞれ終わるよう構成されている。
【００８１】
伸度の強いストレッチ部３からなるスパイラルライン１３ａ、１３ｂを着用者の前面から見える図６（ａ）のＡ点にて考察すると、スパイラルライン１３ａは、Ａ点部においては、生地が元に戻ろうとする力Ｐ（Ａ点部においては斜め下方の矢符）が働き、同時にその水平方向成分Ｐ１と垂直方向成分Ｐ２とに分解される。そして、人体の外側に働く力たる水平方向成分Ｐ１は人体の背面側１６に廻ると外側に働く外旋機能となる。
【００８２】
また、同様に、図６（ｂ）に示す背面側１６は、Ｂ点部においては、生地が元に戻ろうとする力Ｐが働き、その水平方向成分Ｐ１と垂直方向成分Ｐ２とに分解される。
尚、上記の力の働く方向性の説明は、前述の実施例１の場合と同じく、ウェアとしての問題であって、人体としての問題、即ち、人体に生じる問題として考察したものではない。
即ち、人体として考察した場合には、方向は図６（ａ−１）、同（ｂ−１）に示すようになる（即ち、Ｐ１はＰ−１，Ｐ２はＰ−２，ＰはＰ−ａとなる）。これらのメカニズムは、実施例１に於けると全く同様である。
【００８３】
従って、前記生地が元に戻ろうとする力Ｐ（及びＰに対する反力として人体に生じる力Ｐ−ａ）が、実施例２のスポーツウェアを着用したときに外旋機能となり、特に平泳ぎ用水着、スピードスケート、クロスカントリー、スキー・ジャンプ用アンダーウェア等のそれぞれのスポーツにおける身体の動きに適応した運動のしやすいスポーツウェアやスポーツ用アンダーウェアを提供できる。
【産業上の利用可能性】
【００８４】
而して、本発明は、内旋または外旋機能を持たせたスポーツウェアに関するものであり、特に本発明は、スポーツウェアやスポーツ用アンダーウェアの世界に於いては、従来は全く注目されていなかったか、あるいは内転／外転機能とは明確には差別化されていなかったところの内旋機能、または外旋機能、を持たせることにより、それぞれのスポーツにおける身体の動きに適応した運動のしやすいスポーツウェアやスポーツ用アンダーウェアを提供することが可能であって、その利用範囲も各種スポーツウェアやスポーツ用アンダーウェアに幅広く利用でき、更には、身体矯正用などのウェアとしても使われ得るのであって、産業上の利用価値は頗る大きい。
【図面の簡単な説明】
【００８５】
【図１】内旋及び外旋機能の説明図である。（「スポーツ・バイオメカニクス入門」金子公宥著、２００１。尚、体軸及び体肢の長軸を示す破線は、理解を容易にするために出願人が挿入した。）
【図２（ａ）】本発明の実施例１を示す説明図である（正面）。
【図２（ｂ）】本発明の実施例１を示す説明図である（背面）。
【図２（ｃ）】本発明の実施例１を示す説明図である（右側面）。
【図２（ｄ）】本発明の実施例１を示す説明図である（左側面）。
【図３】本発明が実施されるスポーツウェアの形状例を示す説明図である。
【図４（ａ）】実施例１のメカニズムを示す説明図である（正面）。
【図４（ｂ）】実施例１のメカニズムを示す説明図である（背面）。
【図４（ｃ）】実施例１のメカニズムを示す説明図である（右側面）。
【図４（ｄ）】実施例１のメカニズムを示す説明図である（左側面）。
【図４（ａ−１）】図４（ａ）の部分拡大図である。
【図４（ｂ−１）】図４（ｂ）の部分拡大図である。
【図４（ｃ−１）】図４（ｃ）の部分拡大図である。
【図４（ｄ−１）】図４（ｄ）の部分拡大図である。
【図５（ａ）】本発明の実施例２を示す説明図である（正面）。
【図５（ｂ）】本発明の実施例２を示す説明図である（背面）。
【図５（ｃ）】本発明の実施例２を示す説明図である（右側面）。
【図５（ｄ）】本発明の実施例２を示す説明図である（左側面）。
【図６（ａ）】実施例２のメカニズムを示す説明図である（正面）。
【図６（ｂ）】実施例２のメカニズムを示す説明図である（背面）。
【図６（ａ−１）】図６（ａ）の部分拡大図である。
【図６（ｂ−１）】図６（ｂ）の部分拡大図である。
【符号の説明】
【００８６】
１            スポーツウェア
２            本体部
３            ストレッチ部
４            裁断片（本体部の）
５            裁断片（ストレッチ部の）
６            腰部近傍
７            股下部
８            裁断片（本体部の）の縫着部
９            裁断片（ストレッチ部）の縫着部
１０            下衣
１１            前面側
１２            腰骨頂部近傍略中心位置
１３ａ、１３ｂ  スパイラルライン
１４ａ          左身頃
１４ｂ          右身頃
１５ａ、１５ｂ  臀部溝部内側（乃至付け根）近傍
１６            背面側
１７ａ、１７ｂ  略股関節中心点
１８ａ、１８ｂ  略膝関節中心点
１９ａ、１９ｂ  略股関節中心点と略膝関節中心点との中間位置近傍
２０ａ、２０ｂ  膝頭上部近傍
２０−ｃ、２０−ｃ   膝頭下部近傍
２０−ｄ、２０−ｄ   足首部近傍
３０            パンツ型
３１            ショートパンツ型
３２            スパッツ型
３３            セミロングスパッツ
３４            ロングスパッツ型
Ｌ              臀部溝ライン
Ａ、Ｂ、Ｃ、Ｄ  考察点
Ｐ              生地が元に戻ろうとする力（張力）
Ｐ１            Ｐの水平方向成分
Ｐ２            Ｐの垂直方向成分
Ｐ−ａ            Ｐに対する反力として人体に生じる力
Ｐ−１          Ｐ−ａの水平方向成分
Ｐ−２          Ｐ−ａの垂直方向成分
【図１】
0005419323.tif 000002
【図２（ａ）】
0005419323.tif 000003
【図２（ｂ）】
0005419323.tif 000004
【図２（ｃ）】
0005419323.tif 000005
【図２（ｄ）】
0005419323.tif 000006
【図３】
0005419323.tif 000007
【図４（ａ）】
0005419323.tif 000008
【図４（ａ−１）】
0005419323.tif 000009
【図４（ｂ）】
0005419323.tif 000010
【図４（ｂ−１）】
0005419323.tif 000011
【図４（ｃ）】
0005419323.tif 000012
【図４（ｃ−１）】
0005419323.tif 000013
【図４（ｄ）】
0005419323.tif 000014
【図４（ｄ−１）】
0005419323.tif 000015
【図５（ａ）】
0005419323.tif 000016
【図５（ｂ）】
0005419323.tif 000017
【図５（ｃ）】
0005419323.tif 000018
【図５（ｄ）】
0005419323.tif 000019
【図６（ａ）】
0005419323.tif 000020
【図６（ａ−１）】
0005419323.tif 000021
【図６（ｂ）】
0005419323.tif 000022
【図６（ｂ−１）】
0005419323.tif 000023